(57)【要約】【課題】洗浄対象物の大きさに制約を受けることがなく、洗浄対象物を収納し易い食器洗浄機を提供できるようにする。【解決手段】洗浄槽２の下方側に、洗浄対象物を収納保持する洗浄対象物収納保持用の下側保持具３が設けられ、洗浄槽２内における下側保持具３の上方には、洗浄対象物保持用の上側保持具６が、支持部に上方に取り外し自在に支持された状態で設けられ、上側保持具６が、前記洗浄槽２の前後幅又は横幅よりも小さく形成されて、洗浄槽前後幅方向又は洗浄槽横幅方向にスライド移動自在に支持されている。【選択図】図２
2005177255.tif 000002
【特許請求の範囲】
【請求項１】
上方が開口した洗浄槽が、本体ケース部に対して略水平方向に引き出し及び収納自在に設けられた食器洗浄機であって、
前記洗浄槽の下方側に、洗浄対象物を収納保持する洗浄対象物収納保持用の下側保持具が設けられ、
前記洗浄槽内における前記下側保持具の上方には、洗浄対象物保持用の上側保持具が、支持部に上方に取り外し自在に支持された状態で設けられている食器洗浄機。
【請求項２】
前記上側保持具が、前記洗浄槽の前後幅又は横幅よりも小さく形成されて、洗浄槽前後幅方向又は洗浄槽横幅方向にスライド移動自在に支持されている請求項１に記載の食器洗浄機。
【請求項３】
前記支持部が、前記洗浄槽の内面に前後幅方向又は横幅方向に沿って間隔を隔てて形成される複数の突部にて構成されている請求項１又は２に記載の食器洗浄機。
【請求項４】
前記支持部が上下方向に複数並べて設けられて、それら複数の支持部に対して前記上側保持具を付け替えることにより、前記上側保持具の上下位置を変更できるように構成されている請求項１〜３のいずれか１項に記載の食器洗浄機。
【請求項５】
前記複数の支持部のうちの上側の支持部が、前記上側保持具を洗浄対象物収納用の受け姿勢で上下方向に移動させることができるように、洗浄槽前後幅方向の一部分を開放させた状態で設けられている請求項４に記載の食器洗浄機。
【請求項６】
箸やスプーン等の小型の洗浄対象物を収納する小型洗浄対象物保持具が、前記上側保持具の側方に並べて装着できる状態で着脱自在に設けられている請求項１〜５のいずれか１項に記載の食器洗浄機。
【発明の詳細な説明】
【技術分野】
【０００１】
本発明は、上方が開口した洗浄槽が、本体ケース部に対して略水平方向に引き出し及び収納自在に設けられた食器洗浄機に関する。
【背景技術】
【０００２】
食器洗浄機においては、小皿、大皿、皿、碗、湯飲み、カップ等の洗浄対象物を保持具によって保持した状態で、洗浄作業が行われるようになっている。
【０００３】
食器洗浄機用に用いる保持具としては、例えば、図７に示すように、金属等の線材によって形成された下側保持具３と上側保持具６とが設けられ、下側保持具３は主に小皿状の洗浄対象物７、大皿状の洗浄対象物４を立ち姿勢で保持し、碗状の洗浄対象物５を横倒れ姿勢で保持し、上側保持具６は、主に湯飲み、カップ等の飲用容器状の洗浄対象物８を天地反転姿勢で保持するようになっている。そして、上側保持具６は、下側保持具３の上方相当箇所に、上方に開放できるように下側保持具３に揺動自在に支承された状態で設けられている（例えば、特許文献１参照。）。
【０００４】
【特許文献１】特許第３１２９３１３号公報
【発明の開示】
【発明が解決しようとする課題】
【０００５】
従来の食器洗浄機に備えられる保持具は、上述の如く、上側保持具が、上方に開放できるように下側保持具に揺動自在に支承されるものであるため、換言すれば、下側保持具の上方には上側保持具が存在する形態であるため、大きな大皿や調理器具等、大きな洗浄対象物を、上側保持具の存在空間をも利用しながら下側保持具に収納することができない等、上側保持具の存在空間をも利用しながら洗浄対象物を下側保持具に収納することができないという問題があった、
【０００６】
又、従来の食器洗浄機に備えられる保持具に対する洗浄対象物の収納手順は、上側保持具を開いて下側保持具に皿状の洗浄対象物や碗状の洗浄対象物を収納し、皿状の洗浄対象物や碗状の洗浄対象物を収納し終わった後に上側保持具を閉じて上側保持具に湯のみ、カップ等の飲用容器状の洗浄対象物を収納するものとなるため、例えば、下側保持具に皿状の洗浄対象物や碗状の洗浄対象物を収納し終わった後に上側保持具を閉じ、上側保持具に湯飲み、カップ等の飲用容器状の洗浄対象物を収納している途中において、収納し忘れた皿状の洗浄対象物や碗状の洗浄対象物に気がついた場合においては、下側保持具に皿状の洗浄対象物や碗状の洗浄対象物を収納するために、上側保持具に載せている湯飲み、カップ等の飲用容器状の洗浄対象物を一旦別の場所に移動して、上側保持具を開いたのち、下側保持具に洗浄対象物を収納しなければならないものとなる等、使い難いものとなることがあった。
【０００７】
ちなみに、湯飲み、カップ等の飲用容器状の洗浄対象物を一旦別の場所に移動する作業は煩わしいものとなるばかりでなく、洗浄対象物を誤って破損する虞もあるという問題もある。
【０００８】
本発明は、かかる実情に鑑みて為されたものであり、その目的は、洗浄対象物を収納し易い食器洗浄機を提供することにある。
【課題を解決するための手段】
【０００９】
本発明の食器洗浄機の第１特徴構成は、前記洗浄槽の下方側に、洗浄対象物を収納保持する洗浄対象物収納保持用の下側保持具が設けられ、前記洗浄槽内における前記下側保持具の上方には、洗浄対象物保持用の上側保持具が、支持部に上方に取り外し自在に支持された状態で設けられている点を特徴とする。
【００１０】
すなわち、上側保持具を、上方に取り外しできるので、上側保持具を取り外せば、大きな大皿や調理器具等、大きな洗浄対象物を上側保持具の存在空間をも利用しながら下側保持具に収納することが可能となる等、上側保持具の存在空間をも利用しながら洗浄対象物を下側保持具に収納することが可能となる。
【００１１】
又、例えば、下側保持具に皿状の洗浄対象物や碗状の洗浄対象物を収納し終わった後に上側保持具を閉じ、上側保持具に湯飲み、カップ等の飲用容器状の洗浄対象物を収納している途中において、収納し忘れた皿状の洗浄対象物や碗状の洗浄対象物に気がついた場合においては、上側保持具を洗浄対象物を載せた状態のままで取り外して、下側保持具に洗浄対象物を収納させることができるものとなり、使い易いものとなる。
【００１２】
従って、洗浄対象物を収納し易い食器洗浄機を得るに至った。
【００１３】
本発明の食器洗浄機の第２特徴構成は、第１特徴構成に加えて、前記上側保持具が、前記洗浄槽の前後幅又は横幅よりも小さく形成されて、洗浄槽前後幅方向又は洗浄槽横幅方向にスライド移動自在に支持されている点を特徴とする。
【００１４】
すなわち、上側保持具が、小皿やカップ等の洗浄対象物を載せたまま洗浄槽前後幅方向又は洗浄槽横幅方向にスライド移動することができるので、例えば、下側保持具に皿状の洗浄対象物や碗状の洗浄対象物を収納し終わった後に上側保持具を閉じ、上側保持具に湯飲み、カップ等の飲用容器状の洗浄対象物を収納している途中において、収納し忘れた皿状の洗浄対象物や碗状の洗浄対象物に気がついた場合においても、上側保持具をスライド移動しながら、下側保持具の空いている場所に大皿や碗等の洗浄対象物を収納することが可能となる等、洗浄対象物の収納を良好に行なえるものとなる。
【００１５】
そして、収納し忘れた大皿や碗等の洗浄対象物を収納する等のために、上側保持具を小皿やカップ等の洗浄対象物を載せたままスライド移動させても、そのようなスライド移動の際に小皿やカップ等の洗浄対象物を破損する虞が少ないものとなる。
【００１６】
従って、洗浄対象物の収納が一層行ない易いものとなる食器洗浄機を得るに至った。
【００１７】
本発明の食器洗浄機の第３特徴構成は、第１又は第２特徴構成に加えて、前記支持部が、前記洗浄槽の内面に前後幅方向又は横幅方向に沿って間隔を隔てて形成される複数の突部にて構成されている点を特徴とする。
【００１８】
すなわち、洗浄槽は、一般に合成樹脂にて成型加工されて製作されることになるが、前記支持部が、前記洗浄槽の内面に前後幅方向又は横幅方向に沿って間隔を隔てて形成される複数の突部にて構成されていると、洗浄槽を成型加工することを行ない易いものとなり、製作面において有利となる。
【００１９】
従って、製作面において有利となる食器洗浄機を得るに至った。
【００２０】
本発明の食器洗浄機の第４特徴構成は、第１〜第３特徴構成のいずれか一つの特徴構成に加えて、前記支持部が上下方向に複数並べて設けられて、それら複数の支持部に対して前記上側保持具を付け替えることにより、前記上側保持具の上下位置を変更できるように構成されている点を特徴とする。
【００２１】
すなわち、上側保持具の位置を変更することによって、例えば上側保持具の位置を上げることで、低めのカップや小皿等の洗浄対象物を上側保持具に収納し、下側保持具により大きい大皿や碗等の洗浄対象物を収納することができたり、上側保持具の位置を下げることで、上側保持具及び下側保持具に小皿やカップ等の洗浄対象物を収納することができることとなる。つまり、上側保持具の位置を変更することによって、洗浄槽内の洗浄対象物を収納する空間のレイアウトを変更することができ、様々な大きさの洗浄対象物を適切に収納することができることとなる。
【００２２】
従って、洗浄対象物の種類に対応しながら、一層適切に洗浄対象物を収納することが可能となる食器洗浄機を得るに至った。
【００２３】
本発明の食器洗浄機の第５特徴構成は、第４特徴構成に加えて、前記複数の支持部のうちの上側の支持部が、前記上側保持具を洗浄対象物収納用の受け姿勢で上下方向に移動させることができるように、洗浄槽前後幅方向の一部分を開放させた状態で設けられている点を特徴とする。
【００２４】
すなわち、上側の支持部に上側保持具を支持させた状態においては、上側保持具を、一旦上方に取り外し、上方に取り外した上側保持具を、上側の支持部における洗浄槽前後幅方向の一部分を開放させた部分の上方から、洗浄対象物収納用の受け姿勢で下方に移動し、複数の支持部のうちの下側の支持部に支持させることができ、又、下側の支持部に上側保持具を支持させた状態においては、上側保持具を、洗浄槽前後幅方向の一部分を開放させた部分の下方へスライド移動し、スライド移動した上側保持具を、洗浄槽前後幅方向の一部分を開放させた部分の下方から、洗浄対象物収納用の受け姿勢で上方に移動し、上方に取り外した上側保持具を、上側の支持部に支持させることができるものとなる。
【００２５】
要するに、上側の支持部における洗浄槽前後幅方向の一部分を開放させた部分を通して、上側支持具を上下方向に移動させながら上側保持具の位置を変更させることができる。
【００２６】
つまり、上側保持具の位置を変更自在とする構成としては、例えば支持部を引退あるいは折り畳み可能にする構成や、上側保持具自体を折り畳み可能にする構成が考えられるが、それらの構成は複雑なものである。これに対して、複数の支持部のうちの上側の支持部の一部分を開放させる構成は、簡素な構成であり、上側保持具の位置を変更自在とする構成の簡素化を図れるものとなる。
【００２７】
従って、上側保持具の位置を変更自在とする構成の簡素化を図れる食器洗浄機を得るに至った。
【００２８】
本発明の食器洗浄機の第６特徴構成は、第１〜第５特徴構成のいずれか一つの特徴構成に加えて、箸やスプーン等の小型の洗浄対象物を収納する小型洗浄対象物保持具が、前記上側保持具の側方に並べて装着できる状態で着脱自在に設けられている点を特徴とする。
【００２９】
すなわち、上側保持具の側方に並べる状態で、小型洗浄対象物保持具を設けることができるので、下側保持具に小型洗浄対象物保持具を設ける必要がなく、下側保持具により多くの洗浄対象物を収納することができることとなる。
【００３０】
従って、種々の洗浄対象物を一層適切に収納することが可能となる食器洗浄機を得るに至った。
【発明を実施するための最良の形態】
【００３１】
以下、本発明の食器洗浄機の実施の形態について、図面に基づいて説明する。
図１に示すように、食器洗浄機は、前面が開口する箱状の本体ケース部１を備え、且つ、本体ケース部１の内側の収納空間内に水平又は略水平方向に挿脱自在な上部が開口された洗浄槽２を備えている。
【００３２】
図２〜図５にも示すように、前記洗浄槽２には、洗浄槽２の下方側に下側保持具としての下カゴ３が備えられ、大皿等の大皿状の洗浄対象物４、小皿等の小皿状の洗浄対象物７、碗、どんぶり等の碗状の洗浄対象物５を収納するのに使用されるようになっている。
【００３３】
洗浄槽２内における下カゴ３の上方には、上側保持具としての上カゴ６が、支持部Ａに上方に取り外し自在に支持された状態で設けられ、カップ等の飲用容器状の洗浄対象物８を収納するのに使用されるようになっている。尚、図示はしないが、この上カゴにも小皿等の小皿状の洗浄対象物も収納されることになる。
【００３４】
又、上カゴ６の側方には、支持部Ａに上方に取り外し自在に支持された状態で、小型洗浄対象物保持具としての小物カゴ９が、並んだ状態で設けられ、スプーン、フォーク、箸等の小型の洗浄対象物１０を収納するのに使用されるようになっている。
【００３５】
そして、下カゴ３の下方の洗浄槽２の底部には、洗浄液を噴出供給する洗浄ノズル１１が設けられ、詳述はしないが、下カゴ３、上カゴ６及び小物カゴ９に保持された洗浄対象物に対して洗浄液が噴出供給されることにより、洗浄工程やすすぎ工程が行われて、洗浄作業が行なわれるように構成されている。又、例示はしないがヒータが備えられて、洗浄後において乾燥も行なわれるようになっている。
【００３６】
前記下カゴ３は、金属等の線材を屈曲させて形成されており、大皿等の大皿状の洗浄対象物４を立ち姿勢で保持し、碗、どんぶり等の碗状の洗浄対象物５を横倒れ姿勢で保持するように構成されている。
【００３７】
前記上カゴ６は、金属等の線材により上方が開口したかご状に形成されており、前記洗浄槽２の内面に前後幅よりも小さく形成され、その底面を略水平の網目状に形成され、小皿等の小皿状の洗浄対象物７を伏せ姿勢で載置し、カップ等の飲用容器状の洗浄対象物８を天地反転姿勢で載置するように構成されている。
【００３８】
前記支持部Ａは、洗浄槽２の内面に前後幅方向及び横幅方向に沿って間隔を隔てて形成される複数の略直方体状の突起１２にて構成され、支持部Ａの上部に上カゴ６の縁部が支持された状態で、上カゴ６が、上述の如く、上方に取り外し自在に構成されている。
又、上カゴ６が、上述の如く洗浄槽２の前後幅よりも小さく形成されて、洗浄槽の前後幅方向にスライド移動自在に前記支持部Ａに支持されている。
【００３９】
従って、小皿やカップ等の洗浄対象物を収納した上カゴ６をスライド移動して、下カゴ３の洗浄対象物が収納されていない場所の上方を開放させ、その上方から大皿等の大皿状の洗浄対象物４や碗、どんぶり等の碗状の洗浄対象物５を下カゴ３に収納できるものとなる。又、上カゴ６を取り外すことにより、下カゴ３に大皿等の大皿状の洗浄対象物４あるいは例示はしないが調理器具等の洗浄対象物を下カゴ３に収納できるものとなる。
【００４０】
前記小物カゴ９は、プラスチック等の材料により上方が開口し、底面が細目状の直方体状に形成され、上述の如く、洗浄槽２の内面に前記上カゴ６の側方に並んだ状態で設けられている。そして、スプーン、フォーク、箸等の小型の洗浄対象物１０を収納するように構成されている。又、小物カゴ９は、支持部の上部に上カゴ６の底面の縁部が支持された状態で、上方に取り外し自在に構成されている。
【００４１】
上述した上カゴ６、下カゴ３、及び、小物カゴ９を備える食器洗浄機は、下カゴ３に大皿等の大皿状の洗浄対象物４、小皿等の小皿状の洗浄対象物７、碗、どんぶり等の碗状の洗浄対象物５を収納し、上カゴ６に小皿等の小皿状の洗浄対象物７やカップ等の飲用容器状の洗浄対象物８を収納し、さらに、小物カゴ９を取り付けることで、スプーン、フォーク、箸等の小型の洗浄対象物１０を小物カゴ９に収納して洗浄を行なえるように構成されている。
【００４２】
〔別実施形態〕
（１）先の実施形態の支持部では、洗浄槽２の内面に前後幅又は横幅方向に沿って間隔を隔てて形成される複数の略直方体状の突起１２にて構成されるものであったが、これに限定されるものではない。
例えば、図６に示すように、支持部Ａが、洗浄槽２の内面に前後幅方向及び横幅方向に沿って同じ高さに取り付けられた棒状の突部１３にて構成されるものにしてもよい。又、そのような棒状の突部１３が上下方向に複数並べて設けられて、それら複数の棒状の突部１３に対して上カゴ６を付け替えることにより、上カゴ６の上下位置を変更できるようにしても良い。更に、複数の棒状の突部１３のうちの上側の突部１３ａが、上カゴ６を洗浄対象物収納用の受け姿勢で上下方向に移動させることができるように、洗浄槽２の前後幅方向の一部分を開放させた状態で設けられているようにしても良い。
尚、支持部Ａを上下方向に複数設ける際に、複数の支持部Ａのうちの上側の支持部Ａが、洗浄槽２の内面に前後幅方向又は横幅方向に沿って同じ高さに取り付けられた棒状の突部１３にて構成され、複数の支持部のうちの下側の支持部Ａが、洗浄槽２の内面に前後幅又は横幅方向に沿って間隔を隔てて形成される複数の略直方体状の突起１２にて構成されるものであっても良い。
【００４３】
（２）先の実施形態の上カゴ６では、洗浄槽２の前後幅よりも小さく形成されて、洗浄槽２前後幅方向にスライド移動及び着脱自在に支持されているものであったが、これに限定されるものではない。
例えば、上カゴ６が、洗浄槽２の横幅よりも小さく形成されて、洗浄槽２の横幅方向にスライド移動及び着脱自在に支持されているものにしてもよい。
【００４４】
（３）先の実施形態の支持部Ａでは、洗浄槽２の内面に設けられるものであったが、これに限定されるものではない。
例えば、支持部Ａが、下カゴ３の上部に設けられて、上カゴ６が、洗浄槽２の前後幅方向にスライド移動及び着脱自在に支持されているものにしてもよい。
【００４５】
（４）先の実施形態の下カゴ３及び上カゴ６では、金属等の線材を用いて形成されたものであったが、これに限定されるものではない。
例えば、下カゴ３及び上カゴ６が、金属線材によって組み立てられ、その表面に合成樹脂被膜を厚く付着させたものにしても良い。あるいは、プラスチック樹脂を成形させたものにしても良い。
【００４６】
（５）先の実施形態の小物カゴ９では、プラスチック等の材料により形成されたものであったが、これに限定されるものではない。
例えば、小物カゴ９が、金属等の線材を用いて形成されたものであってもよい。あるいは、金属線材によって組み立てられ、その表面に合成樹脂被膜を厚く付着させたものにしても良い。
【図面の簡単な説明】
【００４７】
【図１】食器洗浄機の全体斜視図
【図２】食器洗浄機の構成を示す縦断側面図
【図３】支持部に、上カゴを支持及び取り外した状態を示す横断側面図
【図４】（イ）は、支持部に、上カゴを支持した状態を示す斜視図、（ロ）は、支持部に、上カゴを支持した状態で、更にスライド移動した状態を示す斜視図
【図５】支持部に、上カゴ及び小物カゴを支持した状態を示す斜視図
【図６】（イ）は、下側の突部に、上カゴを支持した状態を示す斜視図、（ロ）は、上側の突部に、上カゴを支持した状態を示す斜視図
【図７】従来の保持具の縦断側面図
【符号の説明】
【００４８】
１                    本体ケース部
２                    洗浄槽
３                    下側保持具
４，５，７，８，１０  洗浄対象物
６                    上側保持具
９                    小型洗浄対象物保持具
Ａ                    支持部
【図１】
2005177255.tif 000003
【図２】
2005177255.tif 000004
【図３】
2005177255.tif 000005
【図４】
2005177255.tif 000006
【図５】
2005177255.tif 000007
【図６】
2005177255.tif 000008
【図７】
2005177255.tif 000009